(57)【要約】【課題】利用者とシュレッダとの距離が遠方であっても、利用者は紙束の細断状態を検知してシュレッダの施錠を解錠することができるシュレッダを提供することである。【解決手段】セット部２０と、セット２０部を開閉する蓋体２１と、本体ケース１０と、細断投入口２６から本体ケース１０内に投入された被細断物を細断する細断刃２３とを備え、携帯端末３０と所定の通信回線４０を介して信号を送受信可能な送受信機１６を具備しており、セット部２０もしくは蓋体２１の少なくともいずれか一方には、蓋体２１を施錠する施錠装置１３が設けてあり、セット部２０もしくは本体ケース１０の少なくともいずれか一方には、被細断物を検出する検知器１４が設けてあり、携帯端末３０からの施錠信号を受信すると、施錠装置１３を介して蓋体２１をロックし、被細断物が所定の残量になったことを検知器１４で検出すると、携帯端末３０に報知する。【選択図】        図１
2006061857.tif 000002
【特許請求の範囲】
【請求項１】
紙束等の被細断物をセットするとともに被細断物が細断投入口へ送り込まれる部位であるセット部と、前記セット部を開閉する蓋体と、本体ケースと、前記細断投入口から本体ケース内に投入された被細断物を細断する細断刃と、を備えるシュレッダであって、
前記シュレッダは、携帯端末と所定の通信回線を介して信号を送受信可能な送受信機を具備しており、
前記セット部もしくは前記蓋体の少なくともいずれか一方には、前記蓋体を施錠する施錠装置が取り付けてあり、
前記セット部もしくは前記本体ケースの少なくともいずれか一方には、被細断物を検出する検知器を設けてあり、
前記携帯端末からの施錠信号を前記受信機で受信すると、前記施錠装置を介して前記蓋体をロックし、
被細断物が所定の残量になったことを前記検知器で検出すると、前記携帯端末に前記送信機で報知することを特徴とする、シュレッダ。
【請求項２】
請求項１に記載のシュレッダであって、
前記携帯端末からの解錠信号を前記送受信機で受信すると、前記施錠装置のロックを解除する、請求項１に記載のシュレッダ。
【請求項３】
請求項１〜２のいずれか１項に記載のシュレッダであって、
前記所定の通信回線は、通信網に含まれる回線である、請求項１〜２のいずれか１項に記載のシュレッダ。
【発明の詳細な説明】
【技術分野】
【０００１】
本発明は、細断する紙束を紙束細断口へ給紙するセット部を有するシュレッダに関し、詳しくは給紙する紙束を取り出すことができないように施錠することができるシュレッダに関する。
【背景技術】
【０００２】
従来から、文章を大量に廃棄する場合、ペーパーフィーダを備えたシュレッダを使用して廃棄することが知られている。このペーパーフィーダとは、シュレッダの本体ケースに配置され、廃棄する文章の紙束を入れるためのボックスであり、その内部にセットした紙束を自動的に細断投入口へ給紙することができるものである。また機密性の高い文章を廃棄する場合には、ペーパーフィーダ、紙投入口などに、蓋体（カバー部材）を設けておき、一旦施錠するとその施錠を解錠しなければボックスの内部にセットした紙束を取り出すことができないようにしている。このように施錠することで、紙束をセットした利用者以外の者（以下、「第３者」と記す）が、既にセットしてある紙束を持ち去ることができないようにして紙束のセキュリティを確保している。またシュレッダには、このボックス内の紙束の有無を検知する検知器と、この検知器の検知に応じて所定の電波を送信する電波発生装置を備えている。そしてシュレッダに紙束をセットした利用者（以下、「利用者」と記す）は、この電波送信装置が送信する信号を受信可能な電波検知装置を所持している。
【０００３】
利用者がこのシュレッダを使用する場合、まず廃棄したい紙束を自動給紙手段の内部へセットして蓋体を閉じ施錠装置で施錠する。そして紙束の細断を開始し、やがて細断が完了し紙束が無くなったことを検知器が検知すると、電波発生装置は所定の電波を送信する。そして電波検知装置がこの所定の電波を受信することで、利用者は細断の終了を検知できる。そして利用者は細断の終了を検知すると、この電波検知装置から電波発生装置へ解錠電波を送信して施錠装置を解錠する。このようにして細断中は施錠装置によって施錠されており、また細断が終了し利用者が解錠電波を送信しなければ解錠されないため、利用者が細断中にシュレッダの傍で待機していなくても未細断の紙束を第３者に持ち去られることの防止を図ることができる。そのため利用者は、細断中の待機時間を他の仕事をする時間に振り当てることができ、時間の有効活用を図ることができる。
【０００４】
なお、この出願の発明に関連する先行技術文献情報としては、例えば、特許文献１が知られている。
【特許文献１】特開平７−１６４８６号公報
【発明の開示】
【発明が解決しようとする課題】
【０００５】
しかしながら、上述したシュレッダでは、電波の送信範囲が限定されており、細断が終了して電波発生装置が電波を送信しても、利用者が所持する電波検知装置がその電波を受信できないことがあった。一般的にシュレッダが発する電波の送信範囲はその会社の建物内に限定されるものであり、利用者が細断中であることを忘れて社外に外出してしまうと利用者が所持する電波検知装置は電波を受信できない状態となっていた。そのためシュレッダの電波発生装置から細断終了の電波が送信されても、利用者に届くことがないためシュレッダの施錠は解錠されることなく施錠されたままで、次に紙束の細断を希望する者がいてもシュレッダを使用できない状態が発生していた。
【課題を解決するための手段】
【０００６】
本発明は、このような課題を解決しようとするもので、その目的は、利用者とシュレッダとの距離が遠方であっても、利用者は紙束の細断状態を検知してシュレッダの施錠を解錠することができるシュレッダを提供することである。
【０００７】
本発明は、上記の目的を達成するためのものであって、以下のように構成されている。
請求項１に記載のシュレッダは、紙束等の被細断物をセットするとともに被細断物が細断投入口へ送り込まれる部位であるセット部と、前記セット部を開閉する蓋体と、本体ケースと、前記細断投入口から本体ケース内に投入された被細断物を細断する細断刃と、を備えている。また前記シュレッダは、携帯端末（例えば、携帯電話）と所定の通信回線を介して信号を送受信可能な送受信機を具備している。また前記セット部もしくは前記蓋体の少なくともいずれか一方には、前記蓋体を施錠する施錠装置が取り付けてある。また前記セット部もしくは前記本体ケースの少なくともいずれか一方には、被細断物を検出する検出器を設けてある。そして前記携帯端末からの施錠信号を前記受信機で受信すると、前記施錠装置を介して前記蓋体をロックし、被細断物が所定の残量（例えば、０枚）になったことを前記検出器で検出すると、前記携帯端末に前記送信機で報知する構成である。この構成によれば、シュレッダの利用者は携帯端末を使用してシュレッダを施錠することができ、細断した紙束が所定の残量になるとシュレッダから自身の所有する携帯端末へその旨の信号を受けることができる。そのため、例えば利用者は細断中にシュレッダの傍で待機していなくても細断完了を知ることができ、さらに施錠によって細断中の紙束のセキュリティも確保できる。したがって、利用者は細断中の待機時間を他の仕事をする時間に振り当てることができ、時間の有効活用を図ることができる。
【０００８】
また請求項２に記載のシュレッダは、請求項１に記載のシュレッダであって、前記携帯端末からの解錠信号を前記送受信機で受信すると、前記施錠装置のロックを解除する構成である。この構成によれば、シュレッダの利用者は自身の所有する携帯端末に、例えば細断完了の旨の連絡が入ると、携帯端末からシュレッダの解錠信号を送信できる。そのためシュレッダを利用する利用者にとって利便性が向上する。
【０００９】
また請求項３に記載のシュレッダは、請求項１〜２のいずれか１項に記載のシュレッダであって、前記所定の通信回線は、通信網に含まれている回線である。この構成によれば、利用者は携帯端末として携帯電話を使用できるため、シュレッダとの送受信を広範囲とすることができる。そのため携帯電話であれば通信エリアが広域であるため、細断中でも利用者は社外に外出可能となる。
【発明を実施するための最良の形態】
【００１０】
以下、本発明を実施するための最良の形態を、図１〜５を用いて説明する。
図１は、本発明に係るシュレッダ１と携帯端末３０とのネットワークシステムを表す一実施の形態の構成図である。図２は、本発明に係るシュレッダ１の側面図であり、本体ケース１０のみ断面図で記載している。図３は、本発明に係るシュレッダ１の電気的構成を表すブロック図である。図４は、本発明に係る携帯端末３０の電気的構成を表すブロック図である。図５は、本発明に係るシュレッダ１の施錠装置１３の施錠方法およびその解錠方法を説明するフロー図である。
なお、本特許請求の範囲に記載する「被細断物が所定の残量になったこと」とは、実施例において「紙束検知手段１４によって紙２４ａの存在が検知されなくなったこと」に相当する。また、同じく本特許請求の範囲に記載する「施錠信号」と「解錠信号」は、実施例において「携帯端末３０の電話番号と施錠ＩＤ」と「携帯端末３０の電話番号と解錠ＩＤ」にそれぞれ相当する。
【００１１】
まず、図１を参照してネットワークシステムについて説明する。
シュレッダ１と携帯端末３０とは、例えば公衆回線網４０と中継装置４２を介して接続してある。本発明で使用する通信網は、電話回線網、無線ＬＡＮまたはインターネットなどでもよい。この中継装置４２とは、公衆回線網４０と携帯端末３０とを無線接続するための中継局である。なお、この実施例でいう「接続」とは各機器間で各種情報を送受信するための通信経路が確立してあることであり、情報を送受信している通信中の状態が成立してあることを意味していない。
【００１２】
次に、図２を参照してシュレッダ１の構成について説明する。シュレッダ１は内部に中空部を有する本体ケース１０と、その上面に配置されているセット部（例えば、ペーパフィーダなどの給紙手段）２０とによって大別され構成されている。以下に、本体ケース１０とセット部２０とについてそれぞれ説明する。
【００１３】
まず本体ケース１０について説明する。
本体ケース１０の内部には、回転軸を有する駆動手段１５、１５（図２において、図示していない）を備えており、その回転軸の延長上には周縁部に複数の切断刃（図示しない）を有する円筒状の双方回転刃２３、２３を備えている。この双方回転刃２３、２３は、駆動手段１５、１５によって互いに噛合うように逆方向に回転可能（図２において、右側の双方回転刃２３は反時計方向に回転し、左側の双方回転刃２３は時計方向に回転している）となっている。そして双方回転刃２３、２３をこのように回転させた状態で、その噛合い部位に上方から紙２４ａを挿入すると、切断刃によって紙２４ａは細断され噛合い部位の下方から排出される。
【００１４】
また本体ケース１０の上面には、紙束２４を双方回転刃２３、２３の噛合い部位に案内する傾斜面２２を備えている。また大量の紙束２４が一度に噛合い部位に挿入されることにより発生する詰まり防止のために遮蔽壁２５を設け、適量の紙２４ａのみが細断投入口２６へ送られるようになっている。また傾斜面２２には、傾斜面２２上に位置する紙２４ａの存在を検知可能な紙束検知手段１４が埋め込まれている。なお、この紙束検知手段１４によって紙２４ａの存在が検知されなくなると駆動手段１５、１５は自動停止する。
【００１５】
次にセット部２０について説明する。
このセット部２０は、内部２１ａが空洞の箱形状であり、その上面には可動式に開閉可能な蓋体２１を備えている。この蓋体２１を開けることにより、セット部２０の内部２１ａは外部と連通状態になり、内部２１ａに紙束２４をセット可能となっている。また、蓋体２１には、この蓋体２１を閉じた状態で保持可能な施錠装置１３を備えている。この施錠装置１３は、詳細は図示しないが、例えばソレノイドとソレノイドの励磁によって突出する嵌合凸部によって構成されている。また、セット部２０には、蓋体２１を閉じた状態でこの嵌合凸部の突出に対応し受け入れ可能な嵌合凹部を備えている。そのため蓋体２１を閉じた状態でソレノイドを励磁すると、嵌合凸部が突出して嵌合凹部に嵌合されて、施錠装置１３が施錠状態（ロック状態）となって蓋体２１を開けることができなくなる。この施錠を解錠するには、ソレノイドの励磁を解除すればよい。このようにして利用者は紙束２４を細断中にこの施錠装置１３を施錠しておけば、蓋体２１は開かないためセットした紙束２４を第３者に持ち去られる恐れがない。すなわち、紙束２４のセキュリティを保つことができる。
【００１６】
また本体ケース１０の内部には、後述する施錠ＩＤと解錠ＩＤを照合するためのプログラムを実施したり、所定の電話番号へ電話を発信するためのプログラムを実施したり、各種プログラムを実施する制御手段１１を備えている。また、それらの各プログラムを記憶したり、施錠ＩＤ、解錠ＩＤおよび電話番号を記憶したりする記憶手段１２を備えている。また公衆回線網４０と接続し各種信号を送受信するための送受信器１６を備えている。このシュレッダ１の電気的構成は、図３に示すように制御手段１１に対して記憶手段１２と、施錠装置１３と、紙束検知手段１４と、駆動手段１５と、送受信器１６とが各々電気的に接続してある。
【００１７】
続いて、携帯端末３０の構成について説明する。
この携帯端末３０とは、電話機能またはメール機能を有する汎用の携帯電話、ＰＨＳ、ＰＤＡ等である。以降、携帯端末３０を携帯電話３０として説明していく。携帯電話３０の本体には表示手段（例えば、液晶ディスプレイなど）３３と入力手段（例えば、入力キーなど）３４とを備えている。
【００１８】
また本体の内部には、入力手段３４から入力された電話番号を発信して相手との通話を成立させるためのプログラムを実施したり、メールによる各種情報を送受信させるためのプログラムを実施したり、各種プログラムを実施させる制御手段３１を備えている。またこれら各プログラムを記憶したり、外部機器から受け取った各種情報を一旦記憶したりする記憶手段３２を備えている。また中継装置４２を介して第１の通信回線と４０と接続するための通信手段３５を備えている。この携帯電話３０の電気的構成は、図４に示すように制御手段３１に対して記憶手段３２と、表示手段３３と、入力手段３４と、通信手段３５とが各々電気的に接続してある。
【００１９】
続いて図５を参照して、上述したシュレッダ１と携帯電話３０とを使用し、携帯電話３０からの入力操作によってシュレッダ１の施錠装置１３を施錠させる方法およびその施錠を解錠させる方法について説明する。
まず利用者は、蓋体２１を開けて細断したい紙束２４をセット部２０の内部２１ａにセットする。利用者は携帯電話３０から公衆回線網４０を介してシュレッダ１へ電話をかける（ステップＳ１００）。なお予めシュレッダ１には、自身の電話番号を記載したシールなどが貼ってあるため、利用者はその番号を見ながら電話をかけることができる。シュレッダ１は、利用者からの着信電話番号を記憶手段１２へ記憶する（ステップＳ１０２）。シュレッダ１は、携帯電話３０へ施錠ＩＤの入力に関するアナウンスをする（ステップＳ１０４）。このアナウンスとは、例えば「４桁の数字を入力して、最後に♯を押して下さい」等である。利用者は、携帯電話３０の入力手段３４から施錠ＩＤを入力（例えば、「１２３４＃」を入力）してシュレッダ１へ送信する（ステップＳ１０６）。
【００２０】
シュレッダ１は、受信した施錠ＩＤを一旦記憶手段１２へ記憶するとともに、その施錠ＩＤを携帯電話３０へアナウンスして利用者の確認をとる（ステップＳ１０８）。このアナウンスとは、例えば「施錠ＩＤは、「１２３４」でよろしいですか（ステップＳ１１０）？よろしければ「１」を、間違いであれば「２」を押して下さい」等である。ここで、よろしい場合には、利用者は、携帯電話３０の入力手段３４から「１」を入力してシュレッダ１へ送信する（ステップＳ１１２）。そして携帯電話３０とシュレッダ１との通信は自動切断される。一方、間違いである場合には、利用者は携帯電話３０の入力手段３４から「２」を入力してシュレッダ１へ送信し（ステップＳ１１４）、ステップＳ１０４へ戻るループを形成する。なお、ここでシュレッダ１は、「２」を受信すると、先ほど記憶した施錠ＩＤを消去する。
【００２１】
施錠装置１３は、ステップＳ１１２で携帯電話３０から「１」を受信すると施錠される（ステップＳ１１６）。駆動手段１５を回転させて紙束２４の細断を開始する（ステップＳ１１８）。なお細断の開始は、利用者のボタン操作（図示しない）によって実施される構成でも構わないし、施錠後に自動に実施される構成でも構わない。紙束検知手段１４は紙２４ａの存在の有無を判断する（ステップＳ１２０）。細断中であれば、紙束検知手段１４は紙２４ａを検知するためステップＳ１１８へ戻るループを形成する。やがて細断は終了するため、紙束検知手段１４は紙２４ａを検知しなくなる。すると制御手段１１は、紙束検知手段１４の紙２４ａ無し検知に基づいて、駆動手段１５の回転を停止させるとともに、公衆回線網４０を介して先ほど記憶手段１２に記憶した電話番号を発信し細断終了の旨のアナウンスをする（ステップＳ１２２）。このアナウンスとは、例えば「細断が終了しましたので解錠ＩＤを入力して下さい」等である。
【００２２】
利用者は、このアナウンスを聞いて携帯電話３０の入力手段３４から解錠ＩＤを入力操作して送信する（ステップＳ１２４）。ここで解錠ＩＤとは、先ほど利用者自身が決定した施錠ＩＤのことである。シュレッダ１の制御手段１１は、この解錠ＩＤを受信すると、受信した解錠ＩＤと記憶手段１２に記憶の施錠ＩＤとを照合する（ステップＳ１２６）。そして照合が一致すると、施錠装置１３の施錠を解錠する（ステップＳ１２８）とともに解錠完了の旨のアナウンスをして電話を切断する。一方、照合が不一致であれば、不一致の旨のアナウンスをする。このアナウンスとは、例えば「入力された解錠ＩＤは不一致です。再度解錠ＩＤを入力して下さい」等である。なおシュレッダ１は、この不一致の解錠ＩＤを連続３回受付けると、セキュリティ面から以降の解錠ＩＤの入力を受付けない構成としている。
【００２３】
このようにして紙２４ａの細断中はセット部２０の内部２１ａは施錠装置１３によって施錠されており、また細断が終了し利用者が解錠ＩＤを送信しなければその施錠は解錠されないため、利用者は細断中にシュレッダ１の傍で待機していなくても未細断の紙束を第３者に持ち去られることの防止を図ることができる。また利用者は、細断中の待機時間を他の仕事をする時間に振り当てることができ、時間の有効活用を図ることができる。また携帯電話３０を使用することによって、シュレッダ１との送受信範囲を広くすることができるため、利用者は細断中の待機時間に社外にでも外出可能となるため利便性が向上する。
【００２４】
また上述した構成では、利用者はシュレッダ１の遠方からでも解錠操作は可能である。そのため、シュレッダ１の解錠は利用者がシュレッダ１の傍に立ち会うことなく実施されることもある。しかし、例えば紙束検知手段１４の検知不良などのため紙束２４が全て細断されずに一部が残った状態で遠方から解錠操作されてしまうと、次の利用者に残った紙束２４を見られることになりセキュリティ面での問題を有する場合がでてくる。その場合には、シュレッダ１は携帯電話３０から解錠ＩＤを受付けても所定の時間（例えば、数分）は施錠状態を保持し、その後に解錠する構成にすればよい。この構成であれば利用者は解錠操作を実施して、解錠されるまでの数分間の間にシュレッダ１へ戻ることができるため、利用者がシュレッダ１の傍に立会いのもとシュレッダ１を解錠することができる。また利用者は、解錠後にセット部２０の内部２１ａに紙束２４の残りが無いことを確認して確実に紙束２４が細断されたことを判断できる。
【００２５】
しかし、このようにすると、例えば所定の時間が５分であり利用者が１分でシュレッダ１の傍に戻れる場合には、利用者はシュレッダ１の傍で４分間待たなければならない。この４分間の待ち時間をなくすために、解錠ＩＤの送信を利用者が任意に実施する構成が好ましい。この場合を説明すると、ステップＳ１２２により利用者は細断終了の案内を受けると一旦電話を切断する。そして利用者はシュレッダ１の傍まで移動し、再度、公衆回線網４０を介して携帯電話３０からシュレッダ１へ電話を発信する。するとシュレッダ１は着信番号から、既に記憶の電話番号と一致するか否かを判断する。一致すると判断すれば、施錠を実施した利用者が解錠を希望していると判断できるため携帯電話３０へ解錠に関するアナウンスを送信する。このアナウンスとは、例えば「現在、施錠されています。解錠を希望する場合には解錠ＩＤを入力して下さい」等である。以降の処理は、ステップＳ１２６からの処理と同様であるため説明は省略する。このようにして、利用者の待ち時間をなくすこともできる。一方、一致すると判断しなければ、施錠を実施した利用者と異なる利用者が解錠を試みていると判断できるため、その携帯電話３０には現在他の利用者によって施錠中である旨をアナウンスする。その際に、施錠を実施した利用者の電話番号をアナウンスに含めてもよい。
【００２６】
上述した内容は、あくまでも本発明の一実施の形態に関するものであって、本発明が上記内容に限定されることを意味するものではない。
実施例では、携帯端末３０の電話機能を使用してシュレッダ１と情報の送受信をする構成を例に説明した。しかし、これに限定されるものでなく、携帯端末３０のメール機能を使用してシュレッダ１と情報の送受信をする構成でも構わない。
【００２７】
また実施例では、所定の通信回線が公衆回線網４０である構成を例に説明した。しかし、これに限定されるものでなく、直接接続、ケーブル接続、ブルートゥース（登録商標）または赤外線通信等であっても構わない。その場合には、シュレッダ１および携帯端末３０には各種接続に対応する送受信手段などが必要となる。
【００２８】
また実施例では、紙２４ａの有無を検知する構成、すなわち紙の残り枚数を０枚としてこの０枚の状態になれば携帯電話３０へその旨を報知する例を説明した。しかし、これに限定されるものでなく、１枚、１０枚、２０枚などであっても構わない。その場合には、紙束検知手段１４を傾斜面２２の内部ではなく遮蔽壁２５の下端部に設けて、予め紙２４ａの厚みなどを考慮して指定した残り枚数を検知可能となるように紙束検知手段１４を設定する必要がある。
【００２９】
また実施例では、セット部２０と、その内部２１ａを開閉する蓋体２１と、その蓋体２１を閉じた状態で施錠する施錠装置１３とを備えて、施錠装置１３を施錠するとセット部２０の内部２１ａにセットした紙束２４を取り出すことができなくなる構成を例に説明した。しかし、これに限定されるものでなく、セット部と、内部が空洞でその空洞部位に細断したい紙束２４をセット可能な挿入体とを備える構成で実施しても構わない。その場合には、セット部２０の側面には細断投入口２６へ向けて挿入体を挿入にする開口部を設ける必要がある。そしてセット部２０に対して挿入体は抜き差し可能となっている。またセット部２０には実施例と同様に施錠装置１３が設けてあり、施錠状態にするとセット部２０に挿入体を挿し込んだ状態で引き抜くことができないようになっている。このようにして実施例と同様に施錠装置１３で施錠すると、挿入体の内部にセットした紙束２４を第３者は持ち去ることはできないため紙束２４のセキュリティを確保できる。
【００３０】
また実施例では、蓋体２１には嵌合凸部を有する施錠装置１３と、セット部２０にはその嵌合凸部を嵌合させる嵌合凹部とを設けて蓋体２１とセット部２０とを施錠する構成を例に説明した。しかし、これに限定されるものでなく、逆の構成でも構わない。その場合には、セット部２０には嵌合凸部を有する施錠装置１３と、蓋体２１にはその嵌合凸部を嵌合させる嵌合凹部とを設けてセット部２０と蓋体２１とを施錠する構成となる。
【図面の簡単な説明】
【００３１】
【図１】本発明に係るシュレッダ１と携帯端末３０とのネットワークシステムを表す一実施の形態の構成図である。
【図２】本発明に係るシュレッダ１の側面図であり、本体ケース１０のみ断面図で記載している。
【図３】本発明に係るシュレッダ１の電気的構成を表すブロック図である。
【図４】本発明に係る携帯端末３０の電気的構成を表すブロック図である。
【図５】本発明に係るシュレッダ１の施錠装置１３の施錠方法およびその解錠方法を説明するフロー図である。
【符号の説明】
【００３２】
１      シュレッダ
１０    本体ケース
１３    施錠装置
１４    紙束検知手段
１６    送受信器
２０    セット部
２１    蓋体
２３    細断刃
２４    紙束
２６    細断投入口
３０    携帯端末（携帯電話）
４０    所定の通信回線
【図１】
2006061857.tif 000003
【図２】
2006061857.tif 000004
【図３】
2006061857.tif 000005
【図４】
2006061857.tif 000006
【図５】
2006061857.tif 000007